(57)【要約】【課題】プールなどにおいて、天井板の落下をより確実に抑止し、かつ、軽量な天井とすることを可能にする吊り天井構造を提供する。【解決手段】吊り天井構造１は、天井構造材Ｓの下部に配置されるバー材又は野縁３０に取り付けられて垂下するハンガー４０と、ハンガー４０に保持され、かつ、野縁３０と直交するように配置される第１天井板保持部材５０ａと、第１天井板保持部材５０ａと直交するように第１天井板保持部材５０ａ間に連結される第２天井板保持部材５０ｂと、を備えることを特徴とする。【選択図】図３
2018119283.tif 000002
【特許請求の範囲】
【請求項１】
吊り天井構造であって、
天井構造材の下部に配置されるバー材又は野縁に取り付けられて垂下するハンガーと、
前記ハンガーに保持され、かつ、前記野縁と直交するように配置される第１天井板保持部材と、
前記第１天井板保持部材と直交するように第１天井板保持部材間に連結される第２天井板保持部材と、を備えることを特徴とする吊り天井構造。
【請求項２】
前記第１天井板保持部材と前記第２天井板保持部材がジョイント材を介して連結されることを特徴とする請求項１に記載の吊り天井構造。
【請求項３】
前記第１天井板保持部材と前記第２天井板保持部材の上に天井板が載置され、又は前記第１天井板保持部材と前記第２天井板保持部材の下に天井板が取り付けられることを特徴とする請求項１又は２に記載の吊り天井構造。
【請求項４】
さらに、隣接する前記バー材又は前記野縁同士が、略コの字状の野縁ジョイント材を介して連結される請求項１から３のいずれか１項に記載の吊り天井構造。
【請求項５】
さらに、前記第１天井板保持部材と前記第２天井板保持部材の下面に貼付された気密テープを有し、前記天井板が前記気密テープを介して取り付けられることを特徴とする請求項１から４のいずれか１項に記載の吊り天井構造。
【請求項６】
さらに、前記第１天井板保持部材及び前記第２天井板保持部材の下方に取り付けられたカバー材を有することを特徴とする請求項１から５のいずれか１項に記載の吊り天井構造。
【請求項７】
前記カバー材が前記天井板保持部材に嵌合することを特徴とする請求項６に記載の吊り天井構造。
【請求項８】
前記ジョイント材が、略三角形状の板材と、前記板材の２辺から垂直に立設し、前記第１天井板保持部材及び前記第２天井板保持部材に連結される略Ｌ字状の側板部を有する請求項２又は３に記載の吊り天井構造。
【請求項９】
前記野縁、前記ハンガー、前記第１天井板保持部材、前記第２天井板保持部材、前記ジョイント材、前記野縁ジョイント材、前記気密テープ及び前記カバー材、並びに連結に必要なビス又はボルト材が、合計して、２ｋｇ／ｍ２以下の単位面積重量を有することを特徴とする請求項６に記載の吊り天井構造。
【請求項１０】
前記ハンガーが、
前記野縁に係合される係合部と、前記係合部から下方に延在する取付部とを含む本体と、
前記本体の前記取付部の第１面側に取り付けられる第１接続板と、
前記本体の前記取付部の第２面側に取り付けられる第２接続板と、を備え、
前記係合部は、前記野縁を覆うように、側面視において下向きコの字状に形成され、
前記取付部は、前記係合部に対して交差する方向に面構成を有するように、前記係合部の一方側の側壁から下方へ延在し、
前記第１接続板及び前記第２接続板は、それぞれの中間位置に設けられ外側に向かって突出する第１凸部及び第２凸部を有し、
前記第１接続板及び前記第２接続板が前記取付部に取り付けられたとき、前記第１凸部と前記第２凸部は、前記取付部の下端よりも下方で対向し、それらによって形成される空間に、天井板を保持する天井板保持部材の頂部を保持することを特徴とする請求項１から９のいずれか１項に記載の吊り天井構造。
【請求項１１】
前記ハンガーの本体の前記係合部は、前記野縁の下方においてコの字状の対向する両側壁をビス止めされることを特徴とする請求項１０に記載の吊り天井構造。
【請求項１２】
前記第１接続板及び前記第２接続板は、前記第１凸部及び前記第２凸部よりも上部において前記取付部を挟んでビス止めされ、前記第１凸部及び前記第２凸部よりも下部において前記天井板保持部材の軸部を挟んでビス止めされることを特徴とする請求項１０又は１１に記載の吊り天井構造。
【請求項１３】
さらに、躯体から垂下する吊りボルトに野縁を取り付ける吊りボルト用ハンガーを備え、前記吊りボルト用ハンガーが、前記吊りボルトが取り付けられる本体部と、本体部に軸支される取付部とを含み、前記取付部が前記野縁の傾斜に追従可能であることを特徴とする請求項１から１２のいずれか１項に記載の吊り天井構造。
【発明の詳細な説明】
【技術分野】
【０００１】
本発明は、吊り天井構造に関する。
【背景技術】
【０００２】
先年の東北大震災をはじめ、地震によって引き起こされた様々な災害は、記憶に新しいところである。様々な災害のうち、建物屋内で生じた災害としては、天井が落下して人的被害が発生するという痛ましい事故が挙げられる。特に、プールにおいて、水着の人々に崩れた天井が降りかかる事態は深刻である。このような事態を受け、天井落下防止に係る技術が様々に提案されている（例えば、特許文献１参照）。
【０００３】
特許文献１には、吊り部材接続用金具と天井下地をより強固に接続することができ、天井材の落下等をより確実に抑止することを可能にする吊り天井構造及び吊り部材接続用金具を提供することを課題として、吊り部材接続用金具が一対の接続用金具片を備え、一方の接続用金具片を、天井材支持部材の接続部の一側部側に係合する係合凹部と、係合凹部の上端から上方に延設された接続板部と、係合凹部の下端から天井材支持部材の連接部に沿って下方に延設される係止片部を備えて形成し、他方の接続用金具片を、天井材支持部材の接続部の他側部側に係合する係合凹部と、係合凹部の上端から上方に突設され、一方の接続用金具片の接続板部に接続される接続板部と、係合凹部の下端から天井材支持部材の連接部に沿って下方に延設される係止片部を備えて形成する、技術が開示されている。
【０００４】
しかしながら、特許文献１では、天井材として２０ｋｇ／ｍ２程度の重量を想定しており、人々が無防備な状態にあるプールなどにおいては、天井をより一層軽量化するとともに天井の落下をより確実に抑止し、万が一、天井が落下した場合であっても被害を最小化する、さらなる改良が求められていた。
【先行技術文献】
【特許文献】
【０００５】
【特許文献１】特開２０１５−７４８９２号公報
【発明の概要】
【発明が解決しようとする課題】
【０００６】
本発明は、上述の課題に鑑みてなされたものであり、プールなどにおいて、天井板の落下をより確実に抑止し、かつ、軽量な天井とすることを可能にする吊り天井構造を提供することを目的とする。
【課題を解決するための手段】
【０００７】
本発明は、上記目的を達成するために、以下の構成によって把握される。
（１）本発明の第１の観点は、吊り天井構造であって、天井構造材の下部に配置されるバー材又は野縁に取り付けられて垂下するハンガーと、前記ハンガーに保持され、かつ、前記野縁と直交するように配置される第１天井板保持部材と、前記第１天井板保持部材と直交するように第１天井板保持部材間に連結される第２天井板保持部材と、を備えることを特徴とする。
【０００８】
（２）上記（１）の構成において、前記第１天井板保持部材と前記第２天井板保持部材がジョイント材を介して連結される。
【０００９】
（３）上記（１）又は（２）の構成において、前記第１天井板保持部材と前記第２天井板保持部材の上に天井板が載置され、又は前記第１天井板保持部材と前記第２天井板保持部材の下に天井板が取り付けられる。
【００１０】
（４）上記（１）から（３）のいずれか１つの構成において、さらに、隣接する前記バー材又は前記野縁同士が、略コの字状の野縁ジョイント材を介して連結される。
【００１１】
（５）上記（１）から（４）のいずれか１つの構成において、さらに、前記第１天井板保持部材と前記第２天井板保持部材の下面に貼付された気密テープを有し、前記天井板が前記気密テープを介して取り付けられる。
【００１２】
（６）上記（１）から（５）のいずれか１つの構成において、さらに、前記第１天井板保持部材及び前記第２天井板保持部材の下方に取り付けられたカバー材を有する。
【００１３】
（７）上記（６）の構成において、前記カバー材が前記天井板保持部材に嵌合する。
【００１４】
（８）上記（２）又は（３）の構成において、前記ジョイント材が、略三角形状の板材と、前記板材の２辺から垂直に立設し、前記第１天井板保持部材及び前記第２天井板保持部材に連結されるＬ字状の側板部を有する。
【００１５】
（９）上記（６）の構成において、前記野縁、前記ハンガー、前記第１天井板保持部材、前記第２天井板保持部材、前記ジョイント材、前記野縁ジョイント材、前記気密テープ及び前記カバー材、並びに連結に必要なビス又はボルト材が、合計して、２ｋｇ／ｍ２以下の単位面積重量を有する。
【００１６】
（１０）上記（１）から（９）のいずれか１つの構成において、前記ハンガーが、前記野縁に係合される係合部と、前記係合部から下方に延在する取付部とを含む本体と、前記本体の前記取付部の第１面側に取り付けられる第１接続板と、前記本体の前記取付部の第２面側に取り付けられる第２接続板と、を備え、前記係合部は、前記野縁を覆うように、側面視において下向きコの字状に形成され、前記取付部は、前記係合部に対して交差する方向に面構成を有するように、前記係合部の一方側の側壁から下方へ延在し、前記第１接続板及び前記第２接続板は、それぞれの中間位置に設けられ外側に向かって突出する第１凸部及び第２凸部を有し、前記第１接続板及び前記第２接続板が前記取付部に取り付けられたとき、前記第１凸部と前記第２凸部は、前記取付部の下端よりも下方で対向し、それらによって形成される空間に、天井板を保持する天井板保持部材の頂部を保持する。
【００１７】
（１１）上記（１０）の構成において、前記ハンガーの本体の前記係合部は、前記野縁の下方においてコの字状の対向する両側壁をビス止めされる。
【００１８】
（１２）上記（１０）又は（１１）の構成において、前記第１接続板及び前記第２接続板は、前記第１凸部及び前記第２凸部よりも上部において前記取付部を挟んでビス止めされ、前記第１凸部及び前記第２凸部よりも下部において前記天井板保持部材の軸部を挟んでビス止めされる。
【００１９】
（１３）上記（１）から（１２）のいずれか１つの構成において、さらに、躯体から垂下する吊りボルトに野縁を取り付ける吊りボルト用ハンガーを備え、前記吊りボルト用ハンガーが、前記吊りボルトが取り付けられる本体部と、本体部に軸支される取付部とを含み、前記取付部が前記野縁の傾斜に追従可能である。
【発明の効果】
【００２０】
本発明によれば、プールなどにおいて、天井板の落下をより確実に抑止し、かつ、軽量な天井とすることを可能にする吊り天井構造を提供することができる。
【図面の簡単な説明】
【００２１】
【図１】本発明の実施形態に係る吊り天井構造の一例を示す斜視図である。
【図２】同じく、吊り天井構造の要部を説明する拡大図である。
【図３】同じく、吊り天井構造の組立段階の一部を説明する斜視図であって、（ａ）は吊り天井構造の全体を上方向から、（ｂ）は天井板保持部材の下面を下方向から、それぞれ示す。
【図４】同じく、図３（ａ）に引き続いて吊り天井構造の組立段階の一部を説明する斜視図である。
【図５】同じく、吊り天井構造に用いられるハンガーの正面図であって、（ａ）は本体、（ｂ）は第１接続板、（ｃ）は第２接続板を示す。
【図６】同じく、吊り天井構造に用いられるハンガーの側面図であって、（ａ）は本体、（ｂ）は第１接続板、（ｃ）は第２接続板を示す。
【発明を実施するための形態】
【００２２】
＜実施形態＞
以下、添付図面を参照して、本発明の実施形態について詳細に説明するが、各図において、同一符号は同一又は対応する部分を示す。また、本発明は、以下の説明からも明らかなようにこれらの実施形態に限定されるものではなく、発明の要旨の範囲内において当業者であれば種々の変形が可能である。
【００２３】
まず、本発明の実施形態に係る吊り天井構造１の一例を全体的に説明する。図１は吊り天井の主な要素を示しており、吊り天井構造１は、図１に示すように、天井構造材Ｓから垂下する吊りボルト１０と、吊りボルト１０に吊りボルト用ハンガー２０を介して取り付けられた野縁３０と、野縁３０に取り付けられて垂下する野縁用ハンガー４０（以降、単に「ハンガー４０」と表記することがある。）と、野縁用ハンガー４０に挟持された天井板保持部材５０と、を備えている。なお、ここでは野縁３０を挙げているが、野縁受け又は一般的なバー材として位置づけてもよい。また、ここでは、天井構造材Ｓとして天井躯体（天井スラブ）を挙げているが、他には、例えば母屋、桁、若しくは梁、又はこれらに沿いあるいはこれらと交差する方向に取り付けた横材等であってもよい。
【００２４】
さらに説明すると、吊りボルト１０は、複数、天井構造材Ｓに垂下状態で取り付けられている。複数の吊りボルト１０の下端部には吊りボルト用ハンガー２０が取り付けられており、吊りボルト用ハンガー２０を介して野縁３０が隣接する吊りボルト１０の間に横架される。この野縁３０には、ハンガー４０が係合されており垂下している。詳しくは項をあらためて詳述するが、ハンガー４０の下部には、逆Ｔ字状の天井板保持部材５０が挟持されており、天井板保持部材５０には、天井板（図１には不図示。図２参照）が保持される。なお、図１では１方向に延在する天井板保持部材５０のみを図示しているが、天井板保持部材５０は、格子状に配置されてもよい。天井板保持部材５０が格子状に配置された提要については、後述する。
【００２５】
次に、図２を参照して、吊り天井構造１をより詳しく説明する。図２は吊り天井構造１の拡大図を示しており、天井板保持部材５０が、交差する２方向に配置された例を示している。また、野縁３０が、水平のもの（図中右側）と傾斜したもの（図中左側）が連接されている例を示している。水平の野縁３０と傾斜した野縁３０は、野縁ジョイント３１を介して取り付けられている。なお、野縁ジョイント３１は、隣接する水平の野縁３０同士を連結する場合も使用することができる。
【００２６】
野縁３０は、吊りボルト用ハンガー２０を介して吊りボルト１０に取り付けられており、一般的には、断面がＣ字状のＣバーにより構成される。吊りボルト用ハンガー２０は、特に限定されないが、ここでは、野縁３０の傾斜（勾配）に追従可能な態様のものを用いている。すなわち、吊りボルト用ハンガー２０は、吊りボルト１０が取り付けられる本体部２１と、本体部２１に軸支されることにより野縁３０の傾斜（勾配）に追従可能な取付部２２から構成されている。本体部２１の天面には吊りボルト１０が挿通する挿通孔が設けられており、吊りボルト１０はナット２３によって天面に緊結される。取付部２２は、断面視でｈ字状に形成された一対の係合部２２１を有しており、係合部２２１は野縁３０を覆うように係合され、ビス２２２によってビス止めされる。なお、吊りボルト用ハンガー２０は、ここで示した態様に限られることはなく、天面に吊りボルトが挿通する挿通孔が設けられた逆Ｌ字状の本体部に略Ｕ字状の取付部を野縁の傾斜（勾配）に追従可能に取付けたものでもよい。
【００２７】
ハンガー４０は、本体４１と、第１接続板４２と、第２接続板４３とから構成されており、本体４１が野縁３０に係合され、第１接続板４２と第２接続板４３との間に、天井板保持部材５０が挟持されている。
【００２８】
ハンガー４０の第１接続板４２と第２接続板４３の間には、天井板保持部材５０（図中、紙面奥行方向）が挟持されている。天井板保持部材５０は、前述のとおり、断面が逆Ｔ字状のＴバーであり、縦方向の軸部５１と、横方向の基部５２とから構成されている。軸部５１はハンガー４０の第１接続板４２と第２接続板４３の間に挟持され、軸部５１の頂部５１１は、第１接続板４２の第１凸部４２１と第２接続板４３の第２凸部４３１によって形成された空間４４に保持される。軸部５１の頂部５１１は、縁付きの小さなＴ字状になっており、空間４４にフィットするように構成されている。
【００２９】
図２では、紙面奥行方向のものと交差する紙面横方向にも天井板保持部材５０を設けた例を示している。このようにすると、天井板Ｐを格子状に配置することができる。紙面横方向の天井板保持部材５０の配置にあたっては、ハンガー４０の第１接続板４２又は第２接続板４３に、第１凸部４２１又は第２凸部４３１よりも下部の位置にある挿通孔４２３又は挿通孔４３３にビス止めすることによりＬジョイント６０を固定し、これに天井板保持部材５０を取り付ける。
【００３０】
天井板保持部材５０の下方には、カバー材７０が取り付けられている。カバー材７０は、その中央に一対の爪部７１が設けられており、天井板保持部材５０の基部５２から下方に設けられている突出部５３を一対の爪部７１の間に差し込むことにより、天井板保持部材５０とカバー材７０は取り付けられる。突出部５３の先端の両側及び一対の爪部７１の先端の内側は、いずれも矢印型となっており、オスメスの嵌合関係により、容易に着脱ができる。
【００３１】
カバー材７０の端部７２には、天井板Ｐが取り付けられる。天井板Ｐは極めて軽量に構成されており、例えば、ポリエステル製縦型不織布の基材の両面をガラスクロスでサンドイッチ構造としたものを好適に用いることができる。このようにすると、従来の石膏ボードによる天井板Ｐの約７ｋｇ／ｍ２と比べ約１／１０の０．７ｋｇ／ｍ２と軽量とすることができるとともに、良好な断熱性、吸音性、施工性を発揮することができる。
【００３２】
以上のほかに、天井板保持部材５０とカバー材７０の隙間には、気密テープ７３やアルミ板７４が配置され、気密性を保持している。
【００３３】
次に、図３及び図４で示した斜視図を参照して、吊り天井構造１をさらに説明する。図３は、吊り天井構造１の組立段階の一部を図示するものであり、図３（ａ）には、天井板保持部材５０として、ハンガー４０に取り付けられた第１天井板保持部材５０ａと、それに直交する第２天井板部材５０ｂとが描画されている。第２天井板保持部材５０ｂは第１天井板保持部材５０ａに対して相対的に短く形成された部材であり、隣接する第１天井板保持部材５０ａ同士の間隔にほぼ等しい長さを有している。なお、第１天井板保持部材５０ａと第２天井板保持部材５０ｂとは、いずれも逆Ｔ字状に配されたＴバーにより構成される。
【００３４】
第１天井板保持部材５０ａがハンガー４０に取り付けられた後、第２天井板保持部材５０ｂは隣接する第１天井板保持部材５０ａ同士の間に架設される。第１天井板保持部材５０ａと第２天井板保持部材５０ｂは、その当接部、において、Ｌジョイント６０（ジョイント材ともいう）を介して互いに固定される。Ｌジョイント６０は、第２天井板保持部材５０ｂの両端の一方の側面と他方の側面に１つずつ取り付けられる。このようにＬジョイント６０を配置することにより、第１天井板保持部材５０ａと第２天井板保持部材５０ｂの固定の強度を維持できるとともに、部材点数を減らして吊り天井構造１の軽量化を図ることができる。
【００３５】
Ｌジョイント６０は、略三角形状の板材６１と、板材６１の２辺６２，６３から垂直に立設して第１天井板保持部材５０ａ及び第２天井板保持部材５０ｂに連結されるＬ字状の側板部６４を有している。側板部６４は、第１天井板保持部材５０ａ及び第２天井板保持部材５０ｂに当接してビス止めされており、ここでは、計４つのビスで止めた場合を図示している。なお、側板部６４は、板材６１の２辺６２，６３の長さを超えて延在してもよい。
【００３６】
第１天井板保持部材５０ａや第２天井板保持部材５０ｂは、逆Ｔ字状の形状をしており、天井板Ｐは、その逆Ｔ字の横板に載置して取り付けるようにしてもよい。また、それとは別に、図３（ｂ）に示すように、第１天井板保持部材５０ａや第２天井板保持部材５０ｂの下面に気密テープ７３を貼付しておき、気密テープの離型紙をはがして、天井板Ｐを気密テープ７３に貼り付けてもよい。第１天井板保持部材５０ａや第２天井板保持部材５０ｂは前述のとおり逆Ｔ字状に構成されているが、その成形によって長手方向に溝が形成されることがあるため、気密テープ７３を用いると、吊り天井構造１の気密性を保持でき、プールなど湿度の高い場所での天井として好適である。
【００３７】
次に、図４は、図３に引き続いて吊り天井構造１の組立段階の一部を図示するものであり、天井板Ｐを取り付けた後、天井板Ｐの目地に合わせてカバー材７０を取り付けた場合を示している。カバー材７０の取り付けにあたっては、天井板Ｐを介して第１天井板保持部材５０ａ及び第２天井板保持部材５０ｂにビス止めしてもよいし、第１天井板保持部材５０ａ及び第２天井板保持部材５０ｂに嵌合するようにしてもよい。嵌合によって取り付けるほうが吊り天井構造１の組立にあたって便宜である。なお、カバー材７０の天井板Ｐの側には気密テープ７３を貼付しておくと、吊り天井構造１の気密性をより一層強化することができる。
【００３８】
野縁３０、第１天井板保持部材５０ａ、第２天井板保持部材５０ｂ、ジョイント材６０、カバー材７０及び気密テープ７３、並びに連結に必要なビスは、合計して、２ｋｇ／ｍ２以下の単位面積重量を有するようにすることが望ましい。吊り天井は地震時等に落下しないように種々の技術基準が定められているが、仮に落下したとしても、２ｋｇ／ｍ２以下の単位面積重量であれば、人に重大な危害を与えるおそれの低い吊り天井構造１とすることができる。
【００３９】
ここで、図５及び図６を参照して、ハンガー４０の構成を説明する。図５はハンガー４０の正面図、図６は側面図である。本体４１は、図５及び図６に示すように、係合部４１１と、取付部４１２とから構成される。
【００４０】
係合部４１１は、側面視（図６参照）において下向きのコの字状に形成されており、これをもって野縁３０を覆うように係合される。係合部４１１には、コの字状の対向する２つの側壁４１１ａ，４１１ｂに挿通孔４１１ｃ，４１１ｄが野縁３０の下方に位置するように設けられており、野縁３０に係合した後、ビス止め又はボルト締めされる。
【００４１】
取付部４１２は、係合部４１１の一方の側壁４１１ｂから下方へ延在している。そして、取付部４１２は、係合部４１１の側壁４１１ａ，４１１ｂに対して交差する方向に、面構成を有している。取付部４１２の下部には、挿通孔４１３が設けられており、第１接続板４２及び第２接続板４３とともにビス止め又はボルト締めされる。
【００４２】
第１接続板４２及び第２接続板４３は、ほぼ対称的に構成されており、第１接続板４２は、取付部４１２の第１面４１２ａに取り付けられ、第２接続板４３は、取付部４１２の第２面４１２ｂに取り付けられる（図５参照）。第１接続板４２及び第２接続板４３は、それぞれの中間位置に設けられ外側に向かって突出する第１凸部４２１及び第２凸部４３１を有しており、第１接続板４２及び第２接続板４３が取付部４１２に取り付けられたとき、第１凸部４２１と第２凸部４３１は、それらによって形成される空間４４に、後述する天井板保持部材５０の頂部５１１を保持する。なお、図６では、取付部４１２の下端を矩形状にした例を示しているが、取付部４１２の下端をＲ字形状（円弧状）としてもよく、そうすることにより、第１接続板４２及び第２接続板４３を取付部４１２の挿通孔４１３を中心に回動させたとしても、天井保持部材５０の頂部が取付部４１２の下端に干渉しなくなる。すなわち、取付部４１２の下端をＲ字形状とすることにより、第１接続板４２及び第２接続板４３を介して取り付けられる天井保持部材５０を所望の角度で配置することができる。
【００４３】
第１接続板４２及び第２接続板４３は、第１凸部４２１及び第２凸部４３１よりも上部に、取付部４１２にビス止め又はボルト締めするための挿通孔４２２，４３２が、第１凸部４２１及び第２凸部４３１よりも下部に、天井板保持部材５０にビス止め又はボルト締めするための挿通孔４２３，４３３が、それぞれ設けられている。
【００４４】
（実施形態の効果）
本実施形態に係る吊り天井構造１は、野縁３０よりハンガー４０を介して天井板保持部材５０を取り付けたことから、地震発生時には、吊りボルト１０とハンガー４０との間に介在する野縁３０が振れ止めの効果を奏し、吊りボルト１０とハンガー４０の揺れは極力小さくなる。ひいては、天井板保持部材５０やカバー材７０の揺れも小さく、天井板Ｐが落下するのを防止することができる。また、天井板Ｐ自体を極めて軽量なものにすることができることから、落下したとしても、従来の石膏ボードなどに比べて、プールなどにいる人々への被害を最小限に抑えることが可能となる。
【００４５】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００４６】
１…吊り天井構造
１０…吊りボルト
２０…吊りボルト用ハンガー
２１…本体部
２２…取付部
３０…野縁
４０…野縁用ハンガー（又は、単に「ハンガー」）
４１…本体
４１１…係合部
４１１ａ…一方側の側壁
４１１ｂ…他方側の側壁
４１２…取付部
４１２ａ…第１面
４１２ｂ…第２面
４２…第１接続板
４２１…第１凸部
４３…第２接続板
４３１…第２凸部
５０…天井板保持部材（５０ａ…第１天井板保持部材、５０ｂ…第２天井保持部材）
５１…軸部
５２…基部
５３…突出部
６０…Ｌジョイント（ジョイント材）
７０…カバー材
７１…一対の爪部
７２…端部
７３…気密テープ
Ｓ…天井構造材
Ｐ…天井板
【図１】
2018119283.tif 000003
【図２】
2018119283.tif 000004
【図３】
2018119283.tif 000005
【図４】
2018119283.tif 000006
【図５】
2018119283.tif 000007
【図６】
2018119283.tif 000008